(57)【要約】【課題】利便性の高い洗濯機を提供すること。【解決手段】洗濯機が、各々表示および非表示の切り換えが可能な複数のタッチキーを有する操作パネル（８０）と、機能拡張部品（１２０）を取付可能な部品取付部と、部品取付部に機能拡張部品（１２０）が取り付けられているか否かを判定する部品取付判定部（５１）と、部品取付判定部（５１）により機能拡張部品（１２０）が部品取付部に取り付けられていると判定された場合に、部品取付部に取り付けられていると判定された機能拡張部品（１２０）により拡張される機能の設定を行う所定のタッチキーを操作パネル（８０）に表示させる表示情報決定部（５２）と、を備える。【選択図】図５
2018102574.tif 000002
【特許請求の範囲】
【請求項１】
各々表示および非表示の切り換えが可能な複数のタッチキーを有する操作パネルと、
機能拡張部品を取付可能な部品取付部と、
上記部品取付部に上記機能拡張部品が取り付けられているか否かを判定する部品取付判定部と、
上記部品取付判定部により上記機能拡張部品が上記部品取付部に取り付けられていると判定された場合に、上記部品取付部に取り付けられていると判定された上記機能拡張部品により拡張される機能の設定を行う所定の上記タッチキーを上記操作パネルに表示させる表示情報決定部と、
を備える、洗濯機。
【請求項２】
請求項１に記載の洗濯機において、
上記操作パネルが、
各々表示および非表示の切り換えが可能な複数の表示部をさらに有し、
上記表示情報決定部が、
上記部品取付判定部により上記機能拡張部品が上記部品取付部に取り付けられていると判定された場合に、所定の上記タッチキーを上記操作パネルに表示させると共に、所定の上記タッチキーの操作により設定される設定情報を上記表示部を介して上記操作パネルに表示させる、洗濯機。
【請求項３】
複数の操作部と、各々表示および非表示の切り換えが可能な複数の表示部とを有する操作パネルと、
機能拡張部品を取付可能な部品取付部と、
上記部品取付部に上記機能拡張部品が取り付けられているか否かを判定する部品取付判定部と、
上記部品取付判定部により上記機能拡張部品が上記部品取付部に取り付けられていると判定された場合に、上記部品取付部に取り付けられていると判定された上記機能拡張部品により拡張される機能の設定を行う所定の上記操作部が操作されることにより設定される設定情報を上記表示部を介して上記操作パネルに表示させる表示情報決定部と、
を備える、洗濯機。
【請求項４】
請求項３に記載の洗濯機において、
上記操作部が、
上記部品取付部に取り付けられていると判定された上記機能拡張部品により拡張される機能の設定を行うと共に、各々表示および非表示の切り換えが可能なタッチキーを有し、
上記表示情報決定部が、
上記部品取付判定部により上記機能拡張部品が上記部品取付部に取り付けられていると判定された場合に、上記タッチキーを上記操作パネルに表示させると共に、上記タッチキーの操作により設定される上記設定情報を上記表示部を介して上記操作パネルに表示させる、洗濯機。
【請求項５】
請求項１から４のいずれか１つに記載の洗濯機において、
上記機能拡張部品がふろ水ポンプであり、上記部品取付部が上記ふろ水ポンプを取付可能な給水口である、洗濯機。
【発明の詳細な説明】
【技術分野】
【０００１】
この発明は、洗濯機に関する。
【背景技術】
【０００２】
特許文献１には、複数の操作部を有する操作パネルを備えた洗濯機が開示されている。この洗濯機では、複数の操作部が操作パネル上で表示/非表示の切り換えが可能になっており、使用者が運転内容を決定する際に、操作する可能性がないまたは低い操作部を非表示にすると共に操作する可能性が高い操作部を表示して、操作すべき操作部を分かり易くしている。
【先行技術文献】
【特許文献】
【０００３】
【特許文献１】特開２０１４−５０６０１号公報
【発明の概要】
【発明が解決しようとする課題】
【０００４】
ところで、上記洗濯機の中には、ふろ水ポンプあるいは乾燥棚のような洗濯機の機能を拡張する部品（以下、機能拡張部品という）を取り付けることができるものがある。このような洗濯機には、機能拡張部品を取り付けた際に、取り付けられた機能拡張部品により拡張される機能の設定を行う操作部が予め設けられている。このため、機能拡張部品を使用しない場合にも、取り付け可能な機能拡張部品により拡張される機能の設定を行うための操作部が表示され、利便性が低くなる場合がある。
【０００５】
そこで、本発明の課題は、利便性の高い洗濯機を提供することにある。
【課題を解決するための手段】
【０００６】
本発明の一態様の洗濯機は、
各々表示および非表示の切り換えが可能な複数のタッチキーを有する操作パネルと、
機能拡張部品を取付可能な部品取付部と、
上記部品取付部に上記機能拡張部品が取り付けられているか否かを判定する部品取付判定部と、
上記部品取付判定部により上記機能拡張部品が上記部品取付部に取り付けられていると判定された場合に、上記部品取付部に取り付けられていると判定された上記機能拡張部品により拡張される機能の設定を行う所定の上記タッチキーを上記操作パネルに表示させる表示情報決定部と、
を備える。
【０００７】
また、本発明の他態様の洗濯機は、
複数の操作部と、各々表示および非表示の切り換えが可能な複数の表示部とを有する操作パネルと、
機能拡張部品を取付可能な部品取付部と、
上記部品取付部に上記機能拡張部品が取り付けられているか否かを判定する部品取付判定部と、
上記部品取付判定部により上記機能拡張部品が上記部品取付部に取り付けられていると判定された場合に、上記部品取付部に取り付けられていると判定された上記機能拡張部品により拡張される機能の設定を行う所定の上記操作部が操作されることにより設定される設定情報を、上記表示部を介して上記操作パネルに表示させる表示情報決定部と、
を備える。
【発明の効果】
【０００８】
本発明の一態様の洗濯機によれば、部品取付部に機能拡張部品が取り付けられている場合にのみ、この機能拡張部品により拡張される機能の設定を行うタッチキーが操作パネルに表示される。これにより、利便性の高い洗濯機を実現できる。
【０００９】
また、本発明の他態様の洗濯機によれば、部品取付部に機能拡張部品が取り付けられている場合にのみ、この機能拡張部品により拡張される機能の設定を行う操作部の操作により設定される設定情報が、表示部を介して操作パネルに表示される。これにより、利便性の高い洗濯機を実現できる。
【図面の簡単な説明】
【００１０】
【図１】本発明の第１実施形態の洗濯機の一例のドラム式洗濯機の斜視図。
【図２】図１のドラム式洗濯乾燥機のＡ−Ａ矢視断面模式図。
【図３】図１のドラム式洗濯乾燥機の操作パネルの平面図。
【図４】図３の操作パネルのタッチキーおよび表示ランプを説明するための平面図。
【図５】図１のドラム式洗濯乾燥機の制御ブロック図。
【図６】図１のドラム式洗濯乾燥機にふろ水ポンプを取り付けているときの操作パネルの平面図。
【図７】図１のドラム式洗濯乾燥機にふろ水ポンプを取り付けていないときの操作パネルの平面図。
【図８】本発明の第２実施形態および第３実施形態の洗濯機の操作パネルの平面図。
【発明を実施するための形態】
【００１１】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１２】
（第１実施形態）
本発明の第１実施形態のドラム式洗濯乾燥機１は、図１に示すように、前面に開口部２を有する外箱１ａを備えている。この外箱１ａには、ヒンジで回動自在に取り付けられたドア３と、操作パネル８０とが設けられている。また、外箱１ａの内部には、図２に示すように、外槽４と、この外槽４の内部に配置されたドラム６と、給水装置７とが設けられている。
【００１３】
ドア３は、外箱１ａの前面の略中央に、開口部２を開閉できるように配置されている。このドア３の一部は、ドラム６の内部を視認できるように、ガラス等の透明部材で構成されている。なお、ドア３および外箱１ａの開口部２の周縁には、開口部２を閉じた状態でドア３をロックできるドアロック機構（図示せず）が設けられている。
【００１４】
外槽４は、有底の筒形状を有し、その後側の底部に設けられたサスペンション１６によって、外箱１ａに弾性支持されている。外槽４の前面（図２の左側の面）には、弾性体からなるパッキン２０が固着されている開口部１５が設けられている。この開口部１５は、外箱１ａの開口部２に対向するように配置されている。また、外槽４の後面（右側の面）には、ドラム６を回転させるメインモータ１７が設けられている。
【００１５】
外槽４の底面（図２の下側の面）には、外槽４の内部の洗濯水等を外部に排水するための排水口２６が設けられている。また、外槽４の側壁（図２の紙面貫通方向の面）には、溢水口６０が設けられている。この溢水口６０は、外槽４の開口部１５の縁部よりやや下方に配置され、図示しない溢水管を介して、後述する排水ホース２９に接続されている。
【００１６】
ドラム６は、その内部に洗濯物７０が収容可能な有底の筒形状を有し、外槽４に回動可能に支持されている。ドラム６の前面には、開口部１８が設けられており、この開口部１８が、外箱１ａの開口部２および外槽４の開口部１５に対向している。また、ドラム６の周壁には、全域に亘って、複数の貫通孔１９（図２においては６個のみを代表的に図示）が設けられている。この貫通孔１９によって、外槽４およびドラム６の間の空間とドラム６の内部空間との間で、洗濯処理剤（洗剤、柔軟剤、漂白剤等）、水、および、空気が流通するようになっている。
【００１７】
なお、ドラム６の回転軸６１は、外槽４の重心を通る前後方向の軸と平行になっており、水平方向に対して５度から３０度の角度を有するように傾斜するか又は水平になっている。
【００１８】
給水装置７は、収容ケース８と、給水口１２とを備えている。収容ケース８は、外槽４の前面の上側に配置されている。給水口１２は、外槽４の後面の上側に配置され、機能拡張部品の一例のふろ水ポンプ１２０（図５に示す）が取付可能になっている。すなわち、給水口１２は、部品取付部の一例である。また、この給水口１２には、ふろ水ポンプ検出部９０（図５に示す）が設けられている。このふろ水ポンプ検出部９０は、給水口１２にふろ水ポンプ１２０が取り付けられたときに、ドラム式洗濯乾燥機１とふろ水ポンプ１２０との間の通電を検出するように設けられている。
【００１９】
収容ケース８と給水口１２とは、収容ケース給水経路９を介して接続されている。給水口１２には、水道の蛇口（図示せず）からの水道水またはふろ水が供給されるようになっている。収容ケース給水経路９には、この収容ケース給水経路９を開閉する給水弁１３が設けられている。また、収容ケース８は、外槽給水経路１０を介して外槽４に接続されている。
【００２０】
また、外箱１ａの内部の外槽４の下側には、排水口２６に接続された排水ダクト２７と、排水ダクト２７に接続されたフィルタケース２８と、フィルタケース２８に接続された排水ホース２９とが設けられている。外槽４の内部の洗濯水は、排水口２６、排水ダクト２７、フィルタケース２８、および、排水ホース２９を通って外箱１ａの外部に排出されるようになっている。
【００２１】
また、外箱１ａの内部の外槽４の下側には、外槽４の開口部１５の上部に接続され、外槽４の内部の洗濯水を循環させるための循環経路（図示せず）が設けられている。この循環経路には、循環ポンプ３５（図３に示す）が設けられている。この循環ポンプ３５は、排水口２６から排水された洗濯水を再び外槽４の内部に戻すようになっている。
【００２２】
なお、外箱１ａの内部には、水位センサ４２、回転速度センサ４３、電圧センサ４４、加速度センサ４５、循環ポンプ３５、インバータ４７、ヒートポンプユニット１００、および、送風ファン１１０等が設けられている。回転速度センサ４３は、ドラム６の回転速度を検出する。電圧センサ４４は、メインモータ１７に印加される電圧を検出する。加速度センサ４５は、ドラム６の回転軸６１に平行な方向の加速度を検出すると共に、ドラム６の回転軸６１に垂直な方向の加速度を検出する。
【００２３】
操作パネル８０は、図１に示すように、外箱１ａの前面の上側隅部に配置され、図３に示すように、各々表示/非表示の切り替えが可能な複数のタッチキー８１および複数の表示部の一例の表示ランプ８２を有している。各表示ランプ８２を介して、各タッチキー８１の操作により設定される設定情報が操作パネル８０に表示されるようになっている。なお、各タッチキー８１は、操作パネル８０に表示されている場合にのみ、接触操作が有効化されるようになっている。
【００２４】
図４に示すように、操作パネル８０には、次のタッチキー８１が設けられている。
・接触操作により設定された運転内容でドラム式洗濯乾燥機１の運転をスタートさせることができると共に運転中のドラム式洗濯乾燥機１を一時停止させることができる、スタート/一時停止キー８１２
・接触操作によりドアロックを解除できる、ロック解除キー８１３
・接触操作により「洗う」，「洗〜乾」，「乾かす」，「リフレッシュ」，「槽クリーン」および「時短」の各運転モードの設定を行うことができる、第１設定キー群８１４
・接触操作により「洗い（時間）」，「すすぎ（時間）」，「脱水（時間）」，「乾燥（時間）」および「予約（時間）」の各時間の設定を行うことができる、第２設定キー群８１５
・接触操作により「ふろ水（の使用）」の設定を行うことができる、ふろ水使用設定キー８１６
・接触操作により音声ガイダンスをオン/オフできる、音声ガイダンス設定キー８１７
【００２５】
また、図４に示すように、操作パネル８０には、次の表示ランプ８２が設けられている。
・ドア３がロックされていることを表示する、ドアロック灯８２１
・第１設定キー群８１４により設定された設定情報を表示する、第１表示ランプ群８２２
・第２設定キー群８１５により設定された設定情報を表示する、第２表示ランプ群８２３
・ふろ水使用設定キー８１６により設定された設定情報を表示する、ふろ水設定表示ランプ８２４
・第１設定キー群８１４により設定された設定情報を表示する、第３表示ランプ群８２５
【００２６】
なお、接触操作によりドラム式洗濯乾燥機１の電源をオン/オフする電源キー８１１は、タッチキーではなく、機械式スイッチで構成している。
【００２７】
また、ドラム式洗濯乾燥機１は、図５に示すように、演算等を行うＣＰＵ、および、入出力回路等からなる制御装置４０を備えている。
【００２８】
制御装置４０は、操作パネル８０、水位センサ４２、回転速度センサ４３、電圧センサ４４、加速度センサ４５、および、ふろ水ポンプ検出部９０から入力された信号に基づいて、操作パネル８０および負荷駆動回路４６を制御する。負荷駆動回路４６は、制御装置４０からの命令に基づいて、給水弁１３、排水用モータ３１、循環ポンプ３５、メインモータ１７、ヒートポンプユニット１００、送風ファン１１０、および、ふろ水ポンプ１２０（取り付けられている場合）を駆動させる。なお、メインモータ１７は、インバータ４７を介して駆動される。
【００２９】
すなわち、制御装置４０は、操作パネル８０を介して設定された運転モードに応じて、メインモータ１７、給水弁１３、ヒートポンプユニット１００、および、送風ファン１１０を制御すると共に、接触操作されたタッチキー８１に応じて、操作パネル８０のタッチキー８１および表示ランプ８２の表示/非表示を切り替え、タッチキー８１の接触操作により設定される設定情報を表示ランプ８２を介して操作パネル８０に表示させる。
【００３０】
また、制御装置４０は、部品取付判定部５１と、表示情報決定部５２とを有している。部品取付判定部５１と、表示情報決定部５２とは、ＣＰＵが所定のプログラムを実行することにより実現される機能である。
【００３１】
部品取付判定部５１は、ふろ水ポンプ検出部９０の検出結果により、給水口１２にふろ水ポンプ１２０が取り付けられているか否かを判定する。詳しくは、部品取付判定部５１は、ふろ水ポンプ検出部９０によりドラム式洗濯乾燥機１とふろ水ポンプ１２０との間の通電が検出されている場合、給水口１２にふろ水ポンプ１２０が取り付けられていると判定し、ふろ水ポンプ検出部９０によりドラム式洗濯乾燥機１とふろ水ポンプ１２０との間の通電が検出されていない場合、給水口１２にふろ水ポンプ１２０が取り付けられていないと判定する。
【００３２】
表示情報決定部５２は、部品取付判定部５１の判定結果に基づいて、操作パネル８０に表示する複数のタッチキーおよび設定情報を決定する。
【００３３】
詳しくは、部品取付判定部５１により給水口１２にふろ水ポンプ１２０が取り付けられていると判定された場合、表示情報決定部５２は、図６に示すように、ふろ水使用設定キー８１６を操作パネル８０に表示させると共に、ふろ水使用設定キー８１６により設定された設定情報に応じてふろ水設定表示ランプ８２４を操作パネル８０に表示させる。一方、部品取付判定部５１により給水口１２にふろ水ポンプ１２０が取り付けられていないと判定された場合、表示情報決定部５２は、図７に示すように、ふろ水使用設定キー８１６およびふろ水設定表示ランプ８２４を操作パネル８０に表示させない。
【００３４】
このように、上記ドラム式洗濯乾燥機１では、給水口１２にふろ水ポンプ１２０が取り付けられている場合、ふろ水ポンプ１２０により拡張される機能の設定を行う所定のタッチキー８１が操作パネル８０に表示される一方、給水口１２にふろ水ポンプ１２０が取り付けられていない場合は、所定のタッチキー８１が操作パネル８０に表示されない。これにより、利便性の高いドラム式洗濯乾燥機を実現できる。
【００３５】
また、給水口１２にふろ水ポンプ１２０が取り付けられている場合、所定のタッチキー８１に加えて、所定のタッチキー８１により設定される設定情報が表示ランプ８２を介して操作パネル８０に表示される一方、給水口１２にふろ水ポンプ１２０が取り付けられていない場合は、所定のタッチキー８１だけでなく、所定のタッチキー８１により設定される設定情報を表示する表示ランプ８２も操作パネル８０に表示されない。これにより、さらに利便性の高いドラム式洗濯乾燥機を実現できる。
【００３６】
また、例えば、使用者が必要に応じてふろ水ポンプ１２０を購入できるようにすることで、ふろ水ポンプ１２０をドラム式洗濯乾燥機１の付属品とする必要がなくなる。これにより、さらに利便性の高いドラム式洗濯乾燥機を実現できる。
【００３７】
なお、表示部は、表示ランプ８２に限らず、操作パネル８０上で、表示/非表示の切り替えが可能なものであればよい。
【００３８】
（第２実施形態）
なお、機能拡張部品は、ドラム式洗濯乾燥機１の機能を拡張する部品であればよく、ふろ水ポンプ１２０に限らない。例えば、乾燥棚を機能拡張部品とすることもできる。
【００３９】
乾燥棚は、乾燥運転時に、部品取付部の一例のドラム６内部に取り付けて使用される機能拡張部品である。この乾燥棚をドラム６の内部に設置することにより、ドラム６が静止した状態で乾燥運転が行われ、靴、あるいは、帽子などのドラム６の回転により傷んだり型崩れしたりするものを乾燥させることができる。乾燥棚がドラム６内部に取り付けられているか否かの判定は、例えば、ドラム６内部の乾燥棚の設置箇所に設けた磁気センサが、乾燥棚に設けた磁気センサ用マグネットの磁気を検出したか否かにより行う。
【００４０】
また、図８に示すように、乾燥棚をドラム６内部に取り付けた場合、第１設定キー群８１４の「乾かす」および「リフレッシュ」を接触操作することにより「棚乾燥」および「棚消臭」機能を設定できるようになり、この機能が設定されると、表示ランプ８２６を介して操作パネル８０に表示される。すなわち、乾燥棚がドラム６内部に取り付けられていない場合、第１設定キー群８１４の「乾かす」および「リフレッシュ」を接触操作しても、表示ランプ８２６が操作パネル８０に表示されることはない。
【００４１】
（第３実施形態）
また、Wi-Fiユニットを機能拡張部品とすることもできる。
【００４２】
Wi-Fiユニットは、例えば、部品取付部の一例の外箱１ａの上面の後側に取り付けて使用される機能拡張部品である。このWi-Fiユニットを外箱１ａに取り付けることにより、スマートフォンなどの電子機器を介して、例えば、住んでいる地域の天気情報、あるいは、洗濯にかかった電気代を知らせることができると共に、出荷時にはドラム式洗濯乾燥機１に設けられていない専用コースを設定することができる。Wi-Fiユニットが取り付けられた否かの判定は、例えば、Wi-Fiユニットを介した通信が行われたか否かにより行う。
【００４３】
また、図８に示すように、Wi-Fiユニットを外箱１ａに取り付けた場合、表示ランプ８２７が、操作パネル８０の第２表示ランプ群８２３の上側かつ音声ガイダンス設定キー８１７の左側に表示される。また、Wi-Fiユニットを介して出荷時にはドラム式洗濯乾燥機１に設けられていない専用コースが設定された場合、表示ランプ８２８を介して操作パネル８０に表示される。すなわち、Wi-Fiユニットがドラム６内部に取り付けられていない場合、タッチキー８１を接触操作しても、表示ランプ８２７および表示ランプ８２８が操作パネル８０に表示されることはない。
【００４４】
なお、Wi-Fiユニットを取り付ける部品取付部は、外箱１ａの上面の後側に限らず、洗濯機の設計などに応じて任意に設定できる。
【００４５】
また、図８の操作パネル８０は、乾燥棚およびWi-Fiユニットを機能拡張部品としてドラム式洗濯乾燥機１に取り付けられることが予定された構成を有しているが、いずれか一方のみ、例えば、乾燥棚のみが機能拡張部品としてドラム式洗濯乾燥機１に取り付けられることが予定されている場合、表示ランプ８２７および表示ランプ８２８については、操作パネル８０に設けられない。
【００４６】
（第４実施形態）
また、例えば、洗剤の自動投入が可能な収容ケース８、あるいは、ヒートポンプユニット１００および送風ファン１１０などで構成された乾燥ユニットを機能拡張部品とし、使用者のニーズに応じて取り付けるようにしてもよい。収容ケース８がドラム式洗濯乾燥機１に取り付けられたか否かの判定は、例えば、収容ケース８がドラム式洗濯乾燥機１に取り付けられたときに押圧されて信号を出力するようにリミットスイッチを設けて、このリミットスイッチからの信号により行うことができる。また、乾燥ユニットがドラム式洗濯乾燥機１に取り付けられたか否かの判定は、例えば、ふろ水ポンプ１２０の取り付けと同様に、ドラム式洗濯乾燥機１と乾燥ユニットとの間の通電が検出されているか否かにより行うことができる。
【００４７】
（第５実施形態）
第１実施形態では、給水口１２にふろ水ポンプ１２５が取り付けられているか否かによって、ふろ水使用設定キー８１６およびふろ水設定表示ランプ８２４が操作パネル８０に表示されるか否かが決定されるように構成されているが、これに限らない。例えば、ふろ水使用設定キー８１６については、給水口１２にふろ水ポンプ１２５が取り付けられているか否かによって、操作パネル８０に表示するか否かを決定するが、ふろ水設定表示ランプ８２４については、給水口１２にふろ水ポンプ１２５が取り付けられているか否かに関わらず、操作パネル８０に表示されるように構成してもよい。この場合、ふろ水表示ランプ８２４については、表示のみ行うことができるものであってもよい。
【００４８】
また、逆に、ふろ水設定表示ランプ８２４については、給水口１２にふろ水ポンプ１２５が取り付けられているか否かによって、操作パネル８０に表示するか否かを決定するが、ふろ水使用設定キー８１６については、給水口１２にふろ水ポンプ１２５が取り付けられているか否かに関わらず、操作パネル８０に表示されるように構成してもよい。この場合、ふろ水使用設定キー８１６は、機械式スイッチであってもよい。
【００４９】
すなわち、部品取付判定部５１により、機能拡張部品が部品取付部に取り付けられていると判定された場合に、部品取付部に取り付けられていると判定された機能拡張部品により拡張される機能の設定を行う所定のタッチキー８１が少なくとも操作パネル８０に表示されるように、あるいは、部品取付部に取り付けられていると判定された機能拡張部品により拡張される機能の設定を行う所定の操作部が操作されることにより設定される設定情報が、少なくとも所定の表示ランプ８２を介して操作パネル８０に表示されるように、構成されていればよい。
【００５０】
（第６実施形態）
上記第１〜第５実施形態では、ドラム式洗濯乾燥機について説明したが、縦型洗濯乾燥機に本発明を適用してもよい。
【００５１】
以上、図面を参照して本発明における種々の実施形態を詳細に説明したが、最後に、本発明の種々の態様について説明する。
【００５２】
本発明の第１態様の洗濯機１は、
各々表示および非表示の切り換えが可能な複数のタッチキー８１を有する操作パネル８０と、
機能拡張部品１２０を取付可能な部品取付部１２と、
上記部品取付部１２に上記機能拡張部品１２０が取り付けられているか否かを判定する部品取付判定部５１と、
上記部品取付判定部５１により上記機能拡張部品１２０が上記部品取付部１２に取り付けられていると判定された場合に、上記部品取付部１２に取り付けられていると判定された上記機能拡張部品１２０により拡張される機能の設定を行う所定の上記タッチキー８１を上記操作パネル８０に表示させる表示情報決定部５２と、
を備える。
【００５３】
第１態様の洗濯機１によれば、部品取付部１２に機能拡張部品１２０が取り付けられている場合、機能拡張部品１２０により拡張される機能の設定を行う所定のタッチキー８１が操作パネル８０に表示される一方、部品取付部１２に機能拡張部品１２０が取り付けられていない場合は、所定のタッチキー８１が操作パネル８０に表示されない。これにより、利便性の高い洗濯機を実現できる。
【００５４】
本発明の第２態様の洗濯機は、
上記操作パネル８０が、
各々表示および非表示の切り換えが可能な複数の表示部８２をさらに有し、
上記表示情報決定部５２が、
上記部品取付判定部５１により上記機能拡張部品１２０が上記部品取付部１２に取り付けられていると判定された場合に、上記所定のタッチキー８１を上記操作パネル８０に表示させると共に、上記所定のタッチキー８１の操作により設定される設定情報を上記表示部８２を介して上記操作パネル８０に表示させる。
【００５５】
第２態様の洗濯機１によれば、部品取付部１２に機能拡張部品１２０が取り付けられている場合、所定のタッチキー８１に加えて、所定のタッチキー８１により設定される設定情報が表示部８２を介して操作パネル８０に表示される一方、部品取付部１２に機能拡張部品１２０が取り付けられていない場合は、所定のタッチキー８１だけでなく、所定のタッチキー８１により設定される設定情報を表示する表示部８２も操作パネル８０に表示されない。これにより、さらに利便性の高い洗濯機を実現できる。
【００５６】
本発明の第３態様の洗濯機１は、
複数の操作部８１と、各々表示および非表示の切り換えが可能な複数の表示部８２とを有する操作パネル８０と、
機能拡張部品１２０を取付可能な部品取付部１２と、
上記部品取付部１２に上記機能拡張部品１２０が取り付けられているか否かを判定する部品取付判定部５１と、
上記部品取付判定部５１により上記機能拡張部品１２０が上記部品取付部１２に取り付けられていると判定された場合に、上記部品取付部１２に取り付けられていると判定された上記機能拡張部品１２により拡張される機能の設定を行う所定の上記操作部８１が操作されることにより設定される設定情報を上記表示部８２を介して上記操作パネル８０に表示させる表示情報決定部５２と、
を備える。
【００５７】
第３態様の洗濯機１によれば、部品取付部１２に機能拡張部品１２０が取り付けられている場合、機能拡張部品１２０により拡張される機能の設定を行う所定の操作部８１が操作されることにより設定される機能拡張部品１２０の設定情報が所定の表示部８２を介して操作パネル８０に表示される一方、部品取付部１２に機能拡張部品１２０が取り付けられていない場合は、機能拡張部品１２０の設定情報が所定の表示部８２を介して操作パネル８０に表示されない。これにより、利便性の高い洗濯機を実現できる。
【００５８】
本発明の第４態様の洗濯機１は、
上記操作部８０が、
上記部品取付部１２に取り付けられていると判定された上記機能拡張部品１２０により拡張される機能の設定を行うと共に、各々表示および非表示の切り換えが可能なタッチキー８１を有し、
上記表示情報決定部５２が、
上記部品取付判定部５１により上記機能拡張部品１２０が上記部品取付部１２に取り付けられていると判定された場合に、上記タッチキー８１を上記操作パネル８０に表示させると共に、上記タッチキー８１の操作により設定される上記設定情報を上記表示部８２を介して上記操作パネル８０に表示させる。
【００５９】
第４態様の洗濯機１によれば、部品取付部１２に機能拡張部品１２０が取り付けられている場合、機能拡張部品１２０の設定情報に加えて、機能拡張部品１２０の設定情報を設定する所定のタッチキー８１が操作パネル８０に表示される一方、部品取付部１２に機能拡張部品１２０が取り付けられていない場合は、機能拡張部品１２０の設定情報だけでなく、機能拡張部品１２０の設定情報を設定する所定のタッチキー８１も操作パネル８０に表示されない。これにより、さらに利便性の高い洗濯機を実現できる。
【００６０】
本発明の第５態様の洗濯機は、
上記機能拡張部品がふろ水ポンプ１２０であり、上記部品取付部が上記ふろ水ポンプを取付可能な給水口１２である。
【００６１】
第５態様の洗濯機１によれば、例えば、使用者が必要に応じてふろ水ポンプ１２０を購入できるようにすることで、ふろ水ポンプ１２０をドラム式洗濯乾燥機１の付属品とする必要がなくなる。これにより、さらに利便性の高い洗濯機を実現できる。
【００６２】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【００６３】
１  ドラム式洗濯乾燥機（洗濯機の一例）
１ａ  外箱
２  開口部
３  ドア
４  外槽
６  ドラム
７  給水装置
８  収容ケース
９  収容ケース給水経路
１０  外槽給水経路
１２  給水口（部品取付部の一例）
１３  給水弁
１５  開口部
１６  サスペンション
１７  メインモータ
１８  開口部
１９  貫通孔
２０  パッキン
２６  排水口
２７  排水ダクト
２８  フィルタケース
２９  排水ホース
３０  排水弁
３１  排水用モータ
３５  循環ポンプ
４０  制御装置
４２  水位センサ
４３  回転速度センサ
４４  電圧センサ
４５  加速度センサ
４６  負荷駆動回路
４７  インバータ
５１  部品取付判定部
５２  表示情報決定部
６０  溢水口
６１  回転軸
７０  洗濯物
８０  操作パネル
８１  タッチキー
８１１  電源キー
８１２  スタート/一時停止キー
８１３  ロック解除キー
８１４  第１設定キー群
８１５  第２設定キー群
８１６  ふろ水使用設定キー
８１７  音声ガイダンス設定キー
８２  表示ランプ
８２１  ドアロック灯
８２２  第１表示ランプ群
８２３  第２表示ランプ群
８２４  ふろ水設定表示ランプ
８２５  第３表示ランプ群
８２６，８２７，８２８  表示ランプ
９０  ふろ水ポンプ検出部
１００  ヒートポンプユニット
１１０  送風ファン
１２０  ふろ水ポンプ（機能拡張部品の一例）
【図１】
2018102574.tif 000003
【図２】
2018102574.tif 000004
【図３】
2018102574.tif 000005
【図４】
2018102574.tif 000006
【図５】
2018102574.tif 000007
【図６】
2018102574.tif 000008
【図７】
2018102574.tif 000009
【図８】
2018102574.tif 000010